(57)【要約】【課題】携帯電話装置の電子メール機能に疎いような相手との文字画像などによるコミュニケーションをとりやすいものにする。【解決手段】携帯電話装置１に対して、ＦＡＸモデム処理部１４、ファクシミリ対応処理部１００などの、ファクシミリ信号の処理に対応するハードウェア構成と、ファクシミリデータの作成、ファクシミリの表示制御などのためのプログラムを実装し、ファクシミリの送受信機能を与えるようにする。これにより、例えば家庭内やオフィスなどに設置された一般のファクシミリ機器との、ファクシミリの送受信が可能になる。【選択図】図６
2007089060.tif 000002
【特許請求の範囲】
【請求項１】
電話交換回線を利用した通話のための通信を無線送受信により行う無線通信手段と、
ファクシミリとして送信すべき内容が示される所定形式の情報である内容情報を取得する内容情報取得手段と、
上記内容情報取得手段により取得した内容情報を送信用ファクシミリ信号に変換して、上記無線通信手段により送信出力させるファクシミリ送信手段と、
を備えることを特徴とする携帯電話装置。
【請求項２】
上記内容情報取得手段は、文字入力操作に応じて入力された文字の情報を上記内容情報として取得することを特徴とする請求項１に記載の携帯電話装置。
【請求項３】
撮像画像を得る撮像手段と、
上記撮像手段により得られた撮像画像の情報である撮像画像情報を生成する画像情報生成手段とをさらに備え、
上記内容情報取得手段は、上記撮像画像情報を上記内容情報として取得することを特徴とする請求項１に記載の携帯電話装置。
【請求項４】
外部とのデータの送受信を行うための外部データインターフェイス手段をさらに備え、
上記内容情報取得手段は、上記外部データインターフェイス手段により外部より受信取得したデータを上記内容情報として取得することを特徴とする請求項１に記載の携帯電話装置。
【請求項５】
上記ファクシミリ送信手段による上記送信用ファクシミリ信号の送信についての履歴情報を作成して記憶手段に記憶保持させる送信履歴情報管理手段をさらに備える、
ことを特徴とする請求項１に記載の携帯電話装置。
【請求項６】
電話交換回線を利用した通話のための通信を無線送受信により行う無線通信手段と、
上記無線通信手段により通信先から送信されてきたファクシミリ信号を受信して取得する受信取得手段と、
上記受信取得手段により取得したファクシミリ信号に基づいて得たファクシミリ情報を対象として所定の処理を実行するファクシミリ情報処理手段と、
を備えることを特徴とする携帯電話装置。
【請求項７】
上記ファクシミリ情報処理手段は、上記ファクシミリ情報としての内容が視認可能なように出力させる処理を実行する、ことを特徴とする請求項６に記載の携帯電話装置。
【請求項８】
上記ファクシミリ情報処理手段は、上記ファクシミリ情報を記憶手段に記憶させる処理を実行する、ことを特徴とする請求項６に記載の携帯電話装置。
【請求項９】
上記ファクシミリ情報処理手段は、上記ファクシミリ情報を所定のデータ形式に変換する処理を実行する、ことを特徴とする請求項６に記載の携帯電話装置。
【請求項１０】
上記受信取得手段による上記ファクシミリ信号の受信取得についての履歴情報を作成して記憶手段に記憶保持させる受信履歴情報管理手段をさらに備える、
ことを特徴とする請求項６に記載の携帯電話装置。
【発明の詳細な説明】
【技術分野】
【０００１】
本発明は、主たる機能として電話交換回線を用いた通話を無線により行うように構成される携帯電話装置に関する。
【背景技術】
【０００２】
近年においては、携帯電話装置が広く普及している。携帯電話装置の主たる機能は、電話交換回線を利用した発着信、通話を無線により行うもので、これにより、電話装置としての携帯性を得ているものである。また、近年では、携帯電話装置は、インターネットなどのネットワークと通信するための端末としても機能するようにされており、これに応じて、電子メールの送受信機能を利用できるものが一般的になっている。携帯電話装置の電子メール機能を利用すれば、文字、画像などにより他社とコミュニケーションできることから、本来の通話機能とならんで積極的に活用されている状況にある。
【０００３】
【特許文献１】実開平４−１２６４５３号公報
【発明の開示】
【発明が解決しようとする課題】
【０００４】
上記のようにして、携帯電話の電子メール機能は広く利用されているのであるが、例えば老人などの一部のユーザにとっては、電子メールになじみが無い、あるいは電子メールの作成、送信などのための操作がしにくかったり、わかりにくかったりするなどの理由で、かえって利用を避けるような状況となっている場合がある。
つまり、現状においては、携帯電話同士で、文字画像等によるコミュニケーションを図ろうとした場合には電子メールを利用することとなるために、一部の電子メール操作が苦手なユーザとのコミュニケーションを採ろうとした場合には、かえって不便になってしまうことがある。
【課題を解決するための手段】
【０００５】
そこで本発明は上記した課題を考慮して、携帯電話装置として次のように構成する。
つまり、電話交換回線を利用した通話のための通信を無線送受信により行う無線通信手段と、ファクシミリとして送信すべき内容が示される所定形式の情報である内容情報を取得する内容情報取得手段と、この内容情報取得手段により取得した内容情報を送信用ファクシミリ信号に変換して、無線通信手段により送信出力させるファクシミリ送信手段とを備えることとした。
【０００６】
また、電話交換回線を利用した通話のための通信を無線送受信により行う無線通信手段と、この無線通信手段により通信先から送信されてきたファクシミリ信号を受信して取得する受信取得手段と、この受信取得手段により取得したファクシミリ信号に基づいて得たファクシミリ情報を対象として所定の処理を実行するファクシミリ情報処理手段とを備えることとした。
【０００７】
上記各構成によっては、本来的には無線による通話機能を有する携帯電話装置に対して、ファクシミリの送信機能、受信機能が与えられることになる。
これにより、例えば、ファクシミリ機能付きの据え置き型の電話機などとの間で、ファクシミリの送信、受信を行うことが可能になる。
【発明の効果】
【０００８】
上記のようにして、ファクシミリ機能付きの据え置き型の電話機などとの間で、ファクシミリの送信受信が可能になることで、文字画像などによりコミュニケーションを図ろうとするのにあたって、少なくとも一方が携帯電話である場合において、電子メールに限定されることなく、ファクシミリ機能を利用することが可能になる。これにより、携帯電話装置のユーザにとっては、電子メールを利用することがないような相手とも容易に文字画像などによるコミュニケーションを図ることが可能になり、携帯電話装置の利便性が高まることにもなる。
【発明を実施するための最良の形態】
【０００９】
図１は、本発明の実施の形態の携帯電話装置１の構成例を示している。
この図に示す携帯電話装置１の構成について、受信（受話）に対応した動作と、送信（送話）に対応した動作とに対応して説明する。
先ず、受信時においては、電波をアンテナ１０にて受信することになる。この受信された電波は、ＲＦ信号処理部１１においてＲＦ信号に変換されてＤＳＰ(Digital Signal Processor)１２に供給される。ＤＳＰ１２では、デジタル変調処理に対応する復調処理をはじめとした各種の信号処理を実行してデジタルの音声信号データを出力する。このデジタル音声信号は、受話音声、あるいは受信したファクシミリ信号をデジタル信号化したものとなる。ここでのファクシミリ信号とは、ファクシミリのデータを変調して得られた音声信号をいう。周知のようにして、ファクシミリの情報は、電話交換回線における通常の通話用の帯域を利用して送受信されるもので、このために、ファクシミリのデータは、電話交換回線の通話帯域に適合して音声信号化するための変調が行われる。
【００１０】
デジタル−アナログ相互変換部１３におけるＤ／Ａコンバータ１３ａは、ＤＳＰ１２から入力されてきたデジタルとしての受話音声、またはファクシミリ信号を一旦アナログ信号に変換し、ＦＡＸモデム処理部１４に出力する。
ＦＡＸモデム処理部１４は、入力された信号が通常の受話音声である場合には、そのままスルーさせるようにして（あるいは、この図の構成では再度デジタル信号に変換してもよい）音声処理／制御部１５に供給する。これに対して、入力された信号がファクシミリ信号である場合には、ファクシミリ信号を復調してファクシミリデータ（ファクシミリ情報の１つとなる）を得るようにされる。ここでのファクシミリデータとは、ファクシミリの内容となる画像に対応したビットパターンから成るデータである。一般のファクシミリ機器は、ここでのファクシミリデータを利用して例えば紙などへの画像出力を行うようにされる。
【００１１】
音声処理部／制御部１５は、通話に対応する音声信号処理を実行する音声処理部と、ＣＰＵ等を備えて携帯電話装置１における各種制御を実行する制御部とを一括して示す部位である。
音声処理部／制御部１５は、通常の受話音声の信号を入力したときには、必要に応じて所定の信号処理を施したうえで、Ｄ／Ａ変換、増幅などを行って、最終的には、スピーカ２３から受話音声として出力させる。
また、音声処理部／制御部１５がファクシミリデータを入力したときには、音声処理部／制御部１５が実装するものとされるファクシミリ対応処理部１００による所定の対応処理が行われる。なお、このファクシミリ対応処理部１００としての機能は、音声処理部／制御部１５におけるＣＰＵが、例えばＲＯＭ２０（あるいはフラッシュメモリ２１）に記憶保持されるプログラムを実行することで実現される。ファクシミリ対応処理部１００は、入力されたファクシミリデータを、所定形式によりフラッシュメモリ２１に記憶保持させる。また、これとともに、必要に応じて、このファクシミリデータの内容を画像として表示部１８にて表示出力させるための制御も実行することができる。
【００１２】
続いて、送信時に対応した構成について説明する。
例えば、マイクロフォン１７では、発話（送話）音声が収音されて音声信号に変換され、音声処理部／制御部１５に入力される。音声処理部／制御部１５では、この送話音声の音声信号について所定の信号処理等を施して、ＦＡＸモデム処理部１４に入力させる。ＦＡＸモデム処理部１４は、送話音声の音声信号については、特に処理を実行することなく、デジタル−アナログ相互変換部１３におけるＡ／Ｄコンバータ１３ｂに入力する。入力された送話音声の音声信号がアナログ信号である場合には、Ａ／Ｄコンバータ１３ｂにより、この送話音声の音声信号についてデジタル信号に変換してＤＳＰ１２に出力する。入力された送話音声の音声信号がデジタル信号である場合には、そのままスルーさせるようにしてＤＳＰ１２に出力する。音声処理部／制御部１５から出力される送話音声の音声信号がデジタルであるのかアナログであるのかは、実際の音声処理部／制御部１５における、送話音声のための信号処理系の構成による。
【００１３】
また、音声処理部／制御部１５のファクシミリ対応処理部１００では、操作部２４に対して行われた操作に応じて入力された文字、あるいは、カメラ部１６にて撮影された写真画像のデータ、あるいは外部インターフェイス２２を経由して外部より取り込んだテキスト、画像等のデータを利用して、送信用のファクシミリデータを生成することができる。このようにして生成された送信用ファクシミリデータは、ＦＡＸモデム処理部１４に対して出力される。
【００１４】
送信用ファクシミリデータを入力したＦＡＸモデム処理部１４は変調処理を実行してファクシミリ信号を生成し、Ａ／Ｄコンバータ１３ｂに出力する。Ａ／Ｄコンバータ１３ｂは、入力されたファクシミリ信号をデジタル信号に変換してＤＳＰ１２に出力する。
【００１５】
上記のようにして、ＤＳＰ１２には、デジタル音声信号化された送話音声、またはデジタル信号化されたファクシミリ信号が入力される。ＤＳＰ１２は、入力されたファクシミリ信号について、所定のデジタル変調処理等をはじめとする所定のデジタル信号処理を実行してＲＦ信号処理部１１に出力する。
ＲＦ信号処理部１１では、入力された信号について、例えばキャリア変調、増幅等の処理を行って、アンテナ１０から例えば電波として送信出力させる。
【００１６】
カメラ部１６は、例えば撮像のための光学系、ＣＣＤ(Charge Coupled Device)あるいはＣＭＯＳなどの撮像素子を備えて構成され、撮像画像を画像信号として音声処理部／制御部１５に対して出力するように構成される。音声処理部／制御部１５では、入力された画像信号から静止画あるいは動画の画像データを生成することができる。このようにして生成された画像データは、表示部１８に表示出力させたり、例えばフラッシュメモリ２１などに書き込んで保存するようにされる。
【００１７】
マイクロフォン１７は、先に説明したように受話音声を収音するために設けられる。スピーカ２３は、先に説明したように、送話音声を出力するために設けられる。
【００１８】
表示部１８は、例えば液晶表示デバイスなどを備えて構成され、音声処理部／制御部の表示制御によって、画像表示が行われる。
操作部２４は、携帯電話装置１に備えられている各種の操作子と、これらの操作子に対する操作に応じた要求を行うコマンド信号を生成して出力する部位とを一括して示している。音声処理部／制御部１５は、コマンド信号に応じた動作が行われるように各種制御処理を実行する。
【００１９】
ＲＯＭ１９には、音声処理部／制御部１５におけるＣＰＵが利用すべき各種のプログラム、設定情報などのデータが記憶保持される。ＲＡＭ２０は、音声処理部／制御部１５におけるＣＰＵが作業領域として利用する。フラッシュメモリ２１は不揮発性のメモリ素子の1種であり、主としては、書き換え、更新等が必要とされる情報が記憶保持される。このような情報としては、例えば電話番号等をはじめとする携帯電話装置１に関する各種の設定情報や、カメラ部１６により撮影した画像データ、メールなどのコンテンツのデータを保存しておくための領域として利用される。特に本実施の形態では、上記コンテンツのデータとして、受信したファクシミリデータや、ファクシミリデータの送受信履歴などの情報が記憶される。
【００２０】
外部インターフェイス２２は、有線又は無線による所定のデータインターフェイス規格に対応したハードウェア、ソフトウェアを備えて構成されるデータ通信機能部位であり、その動作は、音声処理部／制御部１５により制御される。この外部インターフェイス２２を経由したデータ通信により、携帯電話装置１のフラッシュメモリ２１などに記憶されている各種のデータを外部に出力することができる。また、外部から、テキスト、画像、及び設定情報などをはじめとしたデータを取り込んで、フラッシュメモリ２１などに記憶させることもできる。外部インターフェイス２２の実際としては、現状であれば、例えばＩＥＥＥ１３９４、ＵＳＢ(Universal Serial Bus)、Bluetooth、ＩｒＤＡなどを挙げることができる。
また、特にここでの説明はしていないが、本実施の形態の携帯電話装置１としても、現状において普及している携帯電話装置と同様に、インターネットとの接続機能（電子メールの送受信機能も含む）を与えた構成とすることが可能である。
【００２１】
上記図１を参照した説明からも理解されるように、本実施の形態の携帯電話装置１は、通常の通話機能のほかに、ファクシミリの送受信機能も備える。そこで、携帯電話装置１のファクシミリ機能についてさらに説明していくこととする。
図２のフローチャートは、携帯電話装置１において実行されるファクシミリを受信した場合の手順を示している。なお、この図に示す手順は、音声処理部／制御部１５におけるＣＰＵが、例えばＲＯＭ１９（あるいはフラッシュメモリ２１）に記憶されているプログラムを実行することで実現される処理としてもみることができる。この点については、図２より後において説明する図３，図４，及び図６のフローチャートについても同様のことがいえる。
【００２２】
例えば、本実施の形態の携帯電話装置１の電話番号宛にファクシミリのデータが送信されてくると、ステップＳ１０１により着信のための処理が実行される。つまり、電波として受信した信号のうちで、この携帯電話装置１の電話番号に応じた発呼信号が、例えばＲＦ信号処理部１１からＤＳＰ１２、Ｄ／Ａコンバータ１３ａ、ＦＡＸモデム処理部１４を経由（パス）するようにして、音声処理部／制御部１５にて検知される。
【００２３】
本実施の形態の携帯電話装置１としては、ファクシミリデータの受信は、自動と手動の何れによっても可能なようにされており、自動受信の動作を実行させたい場合には、自動受信の動作を指定するように設定しておくことができる。
ステップＳ１０２においては、着信に応じて、先ず、自動受信が設定されているのか、あるいは手動受信の設定となっているのかを判別する。ここで、手動受信が設定されているとの判別結果が得られた場合には、実際の携帯電話装置１の動作としては、フックアップに相当する操作（例えば受話ボタンの操作）が行われるまで呼び出し音を出力することになる。そして、例えばユーザがフックアップに相当する操作を行ったのであれば、ステップＳ１０２−１として示すように、このフックアップに相当する操作に応じてファクシミリの受信モードに切り換えたうえで、ステップＳ103に進むようにされる。
これに対して、ステップＳ１０２において自動受信が設定されていることが判別されたのであれば、そのままステップＳ１０３に進む。
【００２４】
ステップＳ１０３においては、受信動作を開始する。つまり、携帯電話装置１を送信先として無線送信されてくる信号を、アンテナ１０、ＲＦ信号処理部１１、ＤＳＰ１２、Ｄ／Ａコンバータ１３ａ，ＦＡＸモデム処理部１４の系により受信して信号処理を開始する。また、ステップＳ１０３に伴っては、音声処理部／制御部１５におけるファクシミリ対応処理部１００もタスクを実行可能な状態に遷移させる。これとともに、次のステップＳ１０４として示すように、ＦＡＸモデム処理部１４による受信処理も実行されていくことになる。つまり、ＦＡＸモデム処理部１４は、受信して得られたファクシミリ信号をファクシミリデータに変換して、音声処理部／制御部１５のファクシミリ対応処理部１００に渡すようにされる。
【００２５】
ステップＳ１０５の手順は、ファクシミリ対応処理部１００が実行すべきもので、上記のようにして渡されたファクシミリデータをフラッシュメモリ２１に対して保存する。このときには、フラッシュメモリ２１に保存されたファクシミリデータのリスト表示、検索などが後から可能なように、例えばデータベース化などが行われた形式により保存を行うようにすることが好ましい。
続いて、ファクシミリ対応処理部１００は、ステップＳ１０６の手順として、上記ステップＳ１０５によりファクシミリデータを保存させたことに応じて、ファクシミリデータの受信履歴の情報について更新する。このファクシミリデータの受信履歴情報も、ファクシミリ対応処理部１００により所定形式の単位データとして作成され、フラッシュメモリ２１に書き込まれて保存されるものである。
そして、ステップＳ１０７により、ファクシミリデータの受信が完了したことを示す表示を、表示部１８に対して行うようにされる。
【００２６】
また、本実施の形態の携帯電話装置１は、上記のようにして受信取得して保存したファクシミリデータを表示部１８に表示出力させることができる。これにより、携帯電話装置１のユーザは、受信したファクシミリの内容を、携帯電話装置１にて確認することができる。
図３のフローチャートは、ファクシミリデータを表示出力させるための手順を示している。また、この図に示す手順は、プログラムに従ってＣＰＵが実行する、ファクシミリ対応処理部１００としての処理であるとみることができる。
図２により説明したように、例えばフラッシュメモリ２１には、受信したファクシミリデータが所定方式で管理されるようにして記憶保存されている。ユーザは、操作部２４に対する操作により、保存されているファクシミリデータのうちから、表示出力させるべきファクシミリデータを任意に選択することができる。図３のステップＳ２０１は、このような操作により選択指定されたファクシミリデータを、フラッシュメモリ２１に保存されているファクシミリデータから検索する手順となる。
なお、ファクシミリデータを選択指定する操作をおこなうときには、例えば表示部１８に対してフラッシュメモリ２１に保存されているファクシミリデータのリストを表示させるようにする。このリストの画面においては、ファクシミリデータごとの受信日時、サムネイル画像、さらにはタイトルなどの情報を表示させるようにする。フラッシュメモリ２１に保存されるファクシミリデータは、このようなリスト表示に必要な情報とともに管理される。そして、このようなリスト画面に対して選択指定の操作が行えるようにする。
【００２７】
この場合において、フラッシュメモリ２１に保存されているファクシミリデータは、通常のファクシミリ機器により例えば紙などに印刷した画像として出力するためのデータ形式とされている。本実施の形態の携帯電話装置１が実装するファクシミリ対応処理部１００としては、ファクシミリの内容を表示部１８に表示出力させるのにあたり、ファクシミリデータを、表示部１８への表示出力に適合したデータ形式に変換するようにされる。この手順がステップＳ２０２となる。
例えば、本実施の形態の携帯電話装置１において静止画による写真画像としての撮像画像データは、ＪＰＥＧ(Joint Photographic Expert Group)形式によるファイルとして作成され、フラッシュメモリ２１などに記憶保存されるものとする。これに応じて、本実施の形態の携帯電話装置１における静止画像データの表示制御をはじめとした、静止画像データを処理対象とするアルゴリズム（及びハードウェア構成）としては、ＪＰＥＧ形式のデータの処理に適合して構成されているものとする。すると、ファクシミリ対応処理部１００が、ファクシミリの画像を表示出力させるのにあたっては、上記したＪＰＥＧ形式のデータに対応した静止画像データ処理のアルゴリズムを利用することが順当であり、効率的であるということがいえる。ステップＳ２０２としては、このようなことに基づいて、ファクシミリデータを所定形式のデータに変換するものとしている。この具体例に倣えば、ステップＳ２０２では、ファクシミリデータを、その内容が反映された所定解像度によるＪＰＥＧ形式の静止画像データのファイルに変換するための処理を実行することになる。
【００２８】
そして、ステップＳ２０３では、上記ステップＳ２０２にて所定形式に変換したファクシミリデータにより、表示部１８にて画像の表示出力を実行させる。つまり、ファクシミリの内容が表示部１８にて表示されることになる。
なお、携帯電話装置１は、携帯性を考慮してそのサイズが小型であるので、携帯電話装置１に備えられる表示部１８の画面サイズも相応に小さなものに制限される。このために、表示部１８においてファクシミリの内容を表示させるのにあたって、例えばファクシミリ１枚分をそのまま表示部１８の画面に表示させるだけでは、表示される内容が小さすぎて見づらくなる場合のあることが考えられる。そこで、ファクシミリの表示にあたっては、例えば表示倍率を変更できるようにすることが好ましい。また、表示倍率を拡大すると、ファクシミリの内容全体における一部のみしか表示部１８にて表示されなくなるので、縦及び横方向へ画像をスクロール（移動）させる操作などが可能なように構成することが好ましい。
【００２９】
また、本実施の形態としては、フラッシュメモリ２１に記憶保存されている、受信したファクシミリデータについて、所定の編集的な操作を行うことができるものとされる。例としては、ファクシミリデータを指定しての削除、ファクシミリデータごとのタイトルの編集、また、他の形式のデータ、ファイルへの変換などを挙げることができる。例えばＪＰＥＧ等の所定の静止画像データのファイル形式に変換すれば、撮像画像データなどとともに静止画像データとして保存しておくことができる。このような静止画像データは、例えば、外部インターフェイス２２を経由して外部に出力したときにも他の情報処理機器などで扱いやすい。また、電子メールへの添付なども容易にできる。
【００３０】
図４のフローチャートは、上記した編集処理の例として、ファクシミリデータについてのファイル形式変換の手順を示している。この図に示す手順も、プログラムに従ってＣＰＵが実行する、ファクシミリ対応処理部１００としての処理であるとみることができる。
先ず、ステップＳ３０１では、例えばユーザの操作部２４に対する操作に応じて、フラッシュメモリ２１に保存されているファクシミリデータのリストを表示させたうえで、ファイル形式の変換対象となるファクシミリデータを選択決定し、次のステップＳ３０２により変換先のファイル形式を指定する。なお、このステップＳ３０２の手順は、変換先のファイル形式が予め固定的に決められているのであれば自動実行されるものとなるが、複数の選択肢がある場合には、ユーザの操作部２４に対する操作により選択されたファイル形式を指定するようにされる。
そして、ステップＳ３０３では、ステップＳ３０１にて選択決定されたファクシミリデータを、ステップＳ３０２により指定されたファイル形式に変換するための処理を実行し、次のステップＳ３０３により、変換後のファイルのデータについて、例えばファイル形式などに応じた所定のディレクトリに在るようにして管理されるようにして、フラッシュメモリ２１に書き込んで保存させる。なお、この場合において、変換元のファクシミリデータについては、そのままフラッシュメモリ２１に保存させておいてもよいし、変換後のファイルの保存が確定した段階で消去するようにしてもよい。
【００３１】
続いては、本実施の形態の携帯電話装置１による、ファクシミリの送信について説明する。
図５は、携帯電話装置１によるファクシミリ送信にあたっての情報の流れを模式的に示している。本実施の形態の携帯電話装置１によっては、先ず、電子メールなどと同じ要領で、操作部２４に対する操作により入力したとされる文字（入力文字情報）をファクシミリデータに変換してファクシミリ送信を行うことが可能とされている。また、カメラ部１６により撮影して得た撮像画像データなどをはじめとして、例えばフラッシュメモリ２１などに保存させている画像データの画像内容をファクシミリデータに変換してファクシミリ送信を行うことが可能とされる。
さらに、外部インターフェイス２２により携帯電話装置１に取り込んだ情報（外部取り込みデータ）もファクシミリデータに変換してファクシミリ送信することができる。外部インターフェイス２２により取り込む情報としては、テキスト、画像などの情報を挙げることができる。これらの取り込みを行った情報も、例えばフラッシュメモリ２１に保存させたうえで選択指定を行ってファクシミリ送信させることができる。
また、これらのファクシミリデータの基となる情報やデータを複合的に利用して１つのファクシミリデータに変換することも可能である。例えば文字情報と画像データとを組み合わせて、文字によるメッセージと、画像データの画像とが所定のレイアウトにより１枚分のファクシミリの画像として見えるようにしたファクシミリデータとすることが考えられる。
【００３２】
図６のフローチャートは、携帯電話装置１によるファクシミリ送信のための手順を示している。この図に示す手順は、主として、プログラムに従ってＣＰＵが実行するファクシミリ対応処理部１００としての機能と、ＦＡＸモデム処理部１４などの動作により実現される。
この図においては、先ずステップＳ４０１により送信用素材情報を取得する。この送信用素材情報としては、例えば図５にて説明した入力文字情報、画像データ、外部取り込みデータを挙げることができる。ステップＳ４０１として入力文字情報を取得する場合は、ユーザの操作部２４に対する操作に応じて入力された文字情報を取得する。また、画像データを取得する場合には、ユーザの操作部２４に対する操作に応じて選択された画像データをフラッシュメモリ２１から読み出すなどして取得する。外部取り込みデータを取得する場合にも、例えばユーザの操作部２４に対する操作に応じて選択された保存済みの外部取り込みデータを、フラッシュメモリ２１から読み出して取得することとすればよい。
【００３３】
ステップＳ４０２では、上記ステップＳ４０１により取得した送信用素材情報を利用して送信のためのファクシミリデータ（送信用ファクシミリデータ）を作成する。このようにして作成されたファクシミリデータは、例えばフラッシュメモリに保持しておくようにされる。
【００３４】
ステップＳ４０３においては、ユーザの操作部２４に対する所定操作に応じて指定されるファクシミリ送信先の電話番号の入力を受け付ける。また、続くステップＳ４０４により、ユーザの操作部２４に対する発信操作に応じて、ステップＳ４０３にて入力した電話番号に対して発信するための制御処理を実行する。
【００３５】
そして、上記ステップＳ４０４による発信に応じて、送信先電話番号の端末との接続が確立されたとすると、ステップＳ４０５に示すようにして、ステップＳ４０２にて作成した送信用ファクシミリデータを送信させる。このときには、例えばフラッシュメモリ２１に保持させていた送信用ファクシミリデータをＦＡＸモデム処理部１４に転送する。そして、ＦＡＸモデム処理部１４にて、この送信用ファクシミリデータがファクシミリ信号に変換されてＡ／Ｄコンバータ１３ｂに出力されるように制御する。Ａ／Ｄコンバータ１３ｂによりデジタル信号化されたファクシミリ信号は、ＤＳＰ１２からＲＦ信号処理部１１を介してアンテナ１０から無線により送信出力される。これにより、ファクシミリ信号は電話交換回線経由で送信先電話番号の端末に送信されることになる。
【００３６】
ステップＳ４０５に続くステップＳ４０６では、ファクシミリ信号の送信が成功したか否かについて判別する。ここで、携帯電話装置１側から送信したファクシミリ信号の受信が、送信先電話番号の端末側にて完了したとして、ステップＳ４０６において肯定の判別結果が得られたのであれば、そのままステップＳ４１０に進んで、これまでのファクシミリ信号の送信を終了させるための処理を実行する。このときには、送信先電話番号の端末と確立されていた通信を切断する処理を実行する。
これに対して、例えば送信先電話番号の端末が話し中などの状態にあって、送信するファクシミリ信号が受け付けられない、あるいは、何らかの障害などにより送信先電話番号の端末側でのファクシミリ信号の受信が中断されるなどして、ステップＳ４０６にて否定の判別結果が得られた場合には、ステップＳ４０７に進む。
【００３７】
ステップＳ４０７においては、ファクシミリ信号の再送が行われた場合に、その再送回数が、予め定められた規定の最大回数に至ったか否かについて判別し、ここで否定結果が得られたのであれば、ステップＳ４０８により、一旦、送信先電話番号の端末との回線を切断して、ステップＳ４０９により、送信先電話番号に対する発信を自動的に実行したうえで、ステップＳ４０５の手順に戻るようにされる。つまり、再送のための手順を実行する。
このような再送の手順を規定回数分繰り返した場合には、ステップＳ４０７にて肯定の判別結果が得られ、ステップＳ４１０に進んで送信終了のための処理を実行する。
【００３８】
ステップＳ４１０に続くステップＳ４１１においては、ファクシミリデータの送信履歴情報を更新する。このファクシミリデータの送信履歴情報は、先に図２のステップＳ１０６において説明したファクシミリ受信履歴情報と同様にして、ファクシミリ対応処理部１００により所定形式の単位データとして作成され、フラッシュメモリ２１に書き込まれて保存されるものである。
ステップＳ４１１においては、ファクシミリ信号の送信結果を表示部１８に対して表示出力させる。つまり、最終的に送信先電話番号の端末に対するファクシミリ信号の送信が完了した場合（ステップＳ４０６にて肯定の判別結果が得られた場合）には、ファクシミリの送信が成功した旨を示す表示を行い、送信先電話番号の端末に対するファクシミリ信号の送信が最終的に完了しなかった場合（ステップＳ４０７にて肯定の判別結果が得られた場合）には、ファクシミリの送信がエラーとなった旨を示す表示を行うようにされる。
【００３９】
このようにして、本実施の形態の携帯電話装置１は、ファクシミリの送受信機能を備える。これにより、例えば本実施の形態の携帯電話装置１と、家庭やオフィスなどに設置されているファクシミリ機器との間でのファクシミリの送受信が可能になる。これによっては、次のようなメリットがある。
例えば、年配者になるほど電子メールなどにはなじみがなくなってくる傾向がある。特に、携帯電話装置などの電子メールは、キー操作が細かく煩雑であったり、また、小画面が見にくかったりすることなどの理由で敬遠されがちとなる。つまり、携帯電話装置１の電子メール機能は広く普及しているものの、特定のユーザ層が対象となる場合には、逆に利用しにくくなる状況がある。しかしながら、このような層のユーザの人たちでも、ファクシミリであれば馴染みがあって送受信の操作が行える場合が多くなると考えられる。
本実施の形態は、携帯電話装置１のユーザが、文字画像などにより他者とのコミュニケーションを図ろうとした場合において、その相手が、携帯電話の電子メール機能は利用できないがファクシミリであれば使うことができるような状況において、特に支障なくコミュニケーションをとることができるという点で大きな利点を有する。例えば、本実施の形態の携帯電話装置１が通常に電子メール送受信機能を持つとすれば、電子メールが利用できる相手とは電子メールの送受信によりコミュニケーションをとり、電子メールが利用できない相手とはファクシミリによりコミュニケーションを採ることができるものであり、それだけ、文字画像を利用してのコミュニケーションを図ることのできる相手のユーザ層を、これまでよりも広いものとできることになる。
そして、本実施の形態では、携帯電話装置１に対して、予めファクシミリ送受信機能に対応するハードウェア、ソフトウェアを実装することとしているので、上記のような利便性を得るのにあたって、携帯電話装置以外に別途アダプタ的な装置を用意する必要もなく、ファクシミリ送受信機能の手軽な利用が可能とされている。なお、確認のために述べておくと、ファクシミリの送受信機能を有していれば、本実施の形態としては、携帯電話装置同士でのファクシミリの送受信は可能である。
【００４０】
また、本発明としては、これまでに説明した実施の形態としての構成には限定されない。例えば、ファクシミリ送受信機能を有した携帯電話装置の構成としても、図１などに示したものには限定されることなく、適宜変更が可能である。また、ファクシミリの送受信のためにプログラムなどが実行する手順なども、実施の形態としてのフローチャートの図面等により説明した以外の構成が採られてよい。
【図面の簡単な説明】
【００４１】
【図１】本発明の実施の形態としての携帯電話装置の構成例を示す図である。
【図２】ファクシミリを受信するための手順を示すフローチャートである。
【図３】受信取得したファクシミリデータを表示出力するための手順を示すフローチャートである。
【図４】受信取得したファクシミリデータを他のファイル形式に変換するための手順を示すフローチャートである。
【図５】本実施の形態の携帯電話装置におけるファクシミリデータの作成と送信の手順の流れを模式的に示す図である。
【図６】ファクシミリを送信するための手順を示すフローチャートである。
【符号の説明】
【００４２】
１  携帯電話装置、１０  アンテナ、１１  ＲＦ信号処理部、１２  ＤＳＰ、１３  デジタル−アナログ相互変換部、１３ａ  Ｄ／Ａコンバータ，１３ｂ  Ａ／Ｄコンバータ、１４  ＦＡＸモデム処理部、１５  音声処理部／制御部、１６  カメラ部、１７  マイクロフォン、１８  表示部、１９  ＲＯＭ、２０  ＲＡＭ、２１  フラッシュメモリ、２２  外部インターフェイス、２３  スピーカ、２４  操作部、１００  ファクシミリ対応処理部
【図１】
2007089060.tif 000003
【図２】
2007089060.tif 000004
【図３】
2007089060.tif 000005
【図４】
2007089060.tif 000006
【図５】
2007089060.tif 000007
【図６】
2007089060.tif 000008